(57)【要約】【課題】トラクタの走行機の後方に装着されて草刈作業を行なう草刈作業機において、トラクタ走行輪の走行跡の倒伏した草の刈残しを解消した草刈作業機を提供する。【解決手段】草刈り作業部２の前方且つトラクタの走行輪後方に位置し、トラクタ走行輪によって鎮圧され倒伏した草を掻き起す草掻き起し手段３が設けられている草刈作業機２。また、草掻き起し手段３は、棒材で形成されたタイン３０が、平面視進行方向と交差する方向に複数設けられ、前記タイン３０は、上下方向に延設され、下端部が倒伏した草に当接してトラクタの進行により草を掻き起す草刈作業機２を提案する。【選択図】      図１
2018108066.tif 000002
【特許請求の範囲】
【請求項１】
トラクタ後方に装着されて草刈作業を行なう草刈り作業機において、草刈り作業部の前方且つトラクタの走行輪後方に位置し、トラクタ走行輪によって鎮圧され倒伏した草をトラクタの走行によってレーキ状部材で掻き起す草掻き起し手段が設けられていることを特徴とした草刈作業機。
【請求項２】
前記草掻き起し手段は、棒材で形成されたレーキ状のタインが、平面視進行方向と交差する方向に複数設けられ、前記タインは、上下方向に延設され、上端部側が本機側に固着され、下端部が倒伏した草に当接してトラクタの進行により草を掻き起すことを特徴とした請求項1記載の草刈作業機。
【請求項３】
前記各タインの上端部側の取付け基部側には、コイル状に巻いたコイル状部が設けられていて、該コイル状部の巻芯方向が進行方向と交差するように取付けられていることを特徴とした請求項１又は請求項２のいずれかに記載の草刈作業機。
【発明の詳細な説明】
【技術分野】
【０００１】
本発明は、トラクタに装着されトラクタの後方に草刈作業部を位置させ草刈作業を行なう草刈作業機に関する。
【背景技術】
【０００２】
従来の草刈り作業機の構成として、例えば、同一出願人による実開昭６０−１３３７３９号公報「農用トラクタに連結する草刈機」（特許文献１）、また、特開２００９−２７３３９０号公報「草刈り作業機」（特許文献２）が開示されている。特許文献１による草刈機は、トラクタ後方に装着され、垂下する２個の刈取部材を設け、刈取刃が水平回転して草刈作業が行われるものである。
【０００３】
また、特許文献２の草刈り作業機は、走行車であるトラクタの後部に連結され、トラクタの走行により圃場や牧場等で前方に移動しながら草刈作業をするフレールモアが開示されている。
【先行技術文献】
【特許文献】
【０００４】
【特許文献１】実開昭６０−１３３７３９号公報
【特許文献２】特開２００９−２７３３９０号公報
【発明の概要】
【発明が解決しようとする課題】
【０００５】
トラクタ等の走行機の後方に装着されて作業を行なう草刈り作業機の場合、前進することによって走行機の走行輪によって刈り取られるべき草が前方に押し倒されて、倒伏した状態となり、後方に位置する草刈作業部での刈取で刈残しが発生するという問題があった。
【０００６】
このことから本発明の目的は、トラクタ等の走行機の後方に装着されて草刈作業を行なう草刈り作業機において、トラクタ走行輪の走行跡の刈残しを解消した草刈作業機を提供することにある。
【課題を解決するための手段】
【０００７】
上記課題を解決するために、請求項１に記載の発明は、トラクタ後方に装着されて草刈作業を行なう草刈り作業機において、草刈り作業部の前方且つトラクタの走行輪後方に位置し、トラクタ走行輪によって鎮圧され倒伏した草をトラクタの走行によってレーキ状部材で掻き起す草掻き起し手段が設けられていることを特徴とした草刈作業機を提案する。
【０００８】
上記課題を解決するために、請求項２に記載の発明は、前記草掻き起し手段は、棒材で形成されたレーキ状のタインが、平面視進行方向と交差する方向に複数設けられ、前記タインは、上下方向に延設され、上端部側が本機側に固着され、下端部が倒伏した草に当接してトラクタの進行により草を掻き起すことを特徴とした請求項1記載の草刈作業機を提案する。
【０００９】
上記課題を解決するために、請求項３に記載の発明は、前記各タインの上端部側の取付け基部側には、コイル状に巻いたコイル状部が設けられていて、該コイル状部の巻芯方向が進行方向と交差するように取付けられていることを特徴とした請求項１又は請求項２のいずれかに記載の草刈作業機を提案する。
【発明の効果】
【００１０】
この発明によれば、草刈作業部の前方且つトラクタの走行輪後方に位置させて設けた草掻き起し手段によって、トラクタ走行輪によって倒伏した草を掻き起すため、後方に位置する草刈作業部での刈残しが解消される。
【図面の簡単な説明】
【００１１】
【図１】本発明の実施例の草刈作業機の一部断面した側面図である。
【図２】本発明の実施例の草刈作業機の平面図である。
【図３】本発明の実施例の草掻き起し手段部の断面側面図である。
【発明を実施するための形態】
【００１２】
実施の一形態を、図１及び図３に基いて説明する。図１は本発明の実施例の草刈機の一部断面した側面図、図２は同じく平面図、図３は草掻き起し手段部の図２に示すＡ−Ａ断面を示したものである。本例の説明においては、図１、図２の左側を作業進行方向前方側として説明する。
【００１３】
本例における草刈作業機２の草刈作業部２０は、進行方向と直交する水平回転軸に多数の草刈用刈刃２０１を放射状に設け草刈りを行うフレールモアの場合について説明を行う。本願発明は、水平回転する刈刃を有する草刈作業機についても適用できる。
【００１４】
草刈作業部２０の前方側には、走行機であるトラクタ１に装着するための装着部が設けられている。トラクタ１側には作業機装着用の３点リンク機構が後方に設けられていて、装着された作業機を昇降自在に連結することができる。３点リンク機構は、上方中央部にトップリンク１２が上下回動自在に、下方には左右一対のロアリンク１１が上下回動自在に設けられている。トップリンク１２及びロアリンク１１の後端部にそれぞれ連結される連結枠であるクイックヒッチ１５を介して草刈作業機２は装着される。
【００１５】
クイックヒッチ１５は、中央上方部をトップリンク１２とトップリンクピン１４により連結し、下方の左右をロアリンクピン１３によってロアリンク１１に連結し３点リンク機構に取付けられる。クイックヒッチ１５の上方中央部には、上方に開口したフック１５１が後方側に設けられ、フック１５１は草刈作業部２側の中央部上方位置に水平に設けられたトップピン１６に係合される。また、下方側の左右部には草刈作業部２側に設けた水平方向のロワピン１７、１７に係合するための後方側に解放したＵ字状の溝部と、係合したロワピン１７、１７の抜けを阻止する回動フック１５０、１５０が設けられている。
【００１６】
トラクタ１と草刈作業機２との連結は、トラクタ１側に取付けたクイックヒッチ１５のフック１５１を草刈作業機２側のトップピン１６に下方から掬い上げるように係合させると、下方側のロアピン１７、１７がクイックヒッチ１５側に引き寄せられ、Ｕ字状の溝部に係合される。そして、回動フック１５０、１５０で抜け止めを行い連結が行われる。連結を解除するときは、逆の順序で、回動フック１５０、１５０を解除し、草刈作業機２を地上面に下すと、ロアピン１７、１７が後方に離れ、さらにトップピン１６がフック１５１から離間して連結が解除される。
【００１７】
草刈作業機２中央前方部には、入力ケース２５が設けられ入力軸（図示せず）が前方側に突設されている。入力軸は、トラクタ１側のＰＴＯ軸とユニバーサルジョイント５によって連結され、トラクタ１側から動力が入力される。入力された動力は、入力ケース２５内のベベルギヤによって方向が変換され、左右水平に設けたパイプフレーム２６内に挿通された出力軸によって、本例における進行方向左側端に設けた伝動ケース２７に伝達される。伝動ケース２７内には出力軸とその下方の刈刃軸２００の端部に設けたＶプーリがそれぞれ固着されて設けられていて、Ｖプーリに架け渡されたＶベルトによって動力が刈刃軸２００に伝達され回転される。
【００１８】
刈刃軸２００は、進行方向と直交する水平軸で、放射状に軸方向に多数刈刃２０１が設けられている。本例における刈刃軸２００は、進行方向に対し掬い上げるように回転して草刈作業が行われる。刈刃軸２００は、伝動ケース２７側と他方の側板２８側を軸受によって保持されて回転自在であり、上方部は飛散防止用の刈刃軸カバー２９で覆われている。
【００１９】
草刈作業部２０の後方には、草刈作業部２０の地上面からの高さを調整して草刈高さを調整するゲージ輪２１が左右一対設けられている。ゲージ輪２１、２１の高さ調整は、ゲージ輪２１、２１が保持されているゲージ輪フレーム２３を上下回動自在に草刈作業部２０側に連結して設け、同じく草刈作業部２０側の上方部に前方側の一端を上下回動自在に設けた高さ調整ロッド２４の後端部をゲージ輪フレーム２３に上下回動自在に連結し、高さ調整ロッド２４を伸縮して行う。高さ調整ロッド２４は、雄雌のネジが螺合されて内挿されていて、前端部に設けたハンドル２２を回転するとネジ部が進退して伸縮が行われる。ハンドル２２を回転させ高さ調整ロッド２４を伸ばすと、ゲージ輪２１、２１が取付けられたゲージ輪フレーム２３が下方に回動して、草刈作業部２０が地上面に対し上昇し刈高さが高くなる。逆に、高さ調整ロッド２４を縮めると刈高さが低くなる。ゲージ輪２１、２１は、水平方向の回転軸に回転自在に設けられるとともに、回転軸より偏心した垂直方向の水平回転軸により保持され、キャスター輪状に設けられている。
【００２０】
草刈作業部２０の前方位置、且つ、トラクタ１の走行輪１０後方部には、トラクタ走行輪１０によって倒伏した草の引起しを行うための草掻き起し手段３が左右一対設けられている。左右の草掻き起し手段３、３は、左右対称となっているので一方の草掻き起し手段について説明する。草掻き起し手段３、３は、パイプフレーム２６の前方に平行に設けた角パイプで構成されるフロントパイプフレーム３７から前方に延設されたサポートフレーム３６によって保持されている。サポートフレーム３６は垂直方向の板状で、草掻き起し手段３を左右から挟み込むように保持してフロントパイプフレーム３７に固着されている。
【００２１】
草掻き起し手段３は、ピアノ線等の弾性を有する棒材で形成されたタイン３０が、平面視進行方向と交差する方向に複数垂下して設けられレーキ状となっていて、前記タイン３０は、上下方向に延設され、下端部が倒伏した草に当接してトラクタの進行により草を掻き起すように設けられる。本例におけるタイン３０は、前後に２列に設けられている。タイン３０は、前記サポートフレーム３６の左右間に架け渡されて設けた前タイン取付ブラケット３３と後タイン取付ブラケット３４にそれぞれ上端部を固定ネジ３５によって固着されて取り付けられている。前タイン取付ブラケット３３と後タイン取付ブラケット３４は、平面視において前方外側に向けて傾斜させて水平に設けられていて、タイン３０は前方外側に向けて傾斜させた方向に並べられ配置される。タイン３０の並べられる方向は、後方外側に向けて傾斜させても同じ効果が得られる。
【００２２】
タイン３０は、棒状で前タイン取付ブラケット３３と後タイン取付ブラケット３４にそれぞれ基部側を取付けられ、下方に垂下させ、基部側の近傍をコイル状に巻いたコイル状部３２を設け、コイル状部３２からさらに垂下させ、下方端部側が前方側に円弧状に曲げられて、端部が地面に対し鋭角状に向けられている。コイル状部３２の巻芯方向は、タイン取付ブラケット３３と後タイン取付ブラケット３４が取付けられている方向の、平面視において前方外側に向けて傾斜させて水平に設けられている。即ち、進行方向と直交以外の交差した角度に設けられる。タイン３０の下方の端部が地上面に接地してトラクタ１の走行による接地抵抗により後方に撓んで曲げられ、曲げられた後に前方に戻る際に、コイル状部３２の巻芯方向と直交する方向に戻ろうとして、タイン３０の下方端部がトラクタ１の進行方向と交差する方向に揺動する。この揺動の際に、トラクタ１の走行輪１０によって倒伏した草を掻き起す。
【００２３】
本例においては、前方側の前タイン取付ブラケット３３に取付けられるタイン３０は、垂直状に取付けられ、後方側の後タイン取付ブラケット３４に取付けられるタイン３０は、下方端部側が後方に傾斜して設けられていて、タイン３０の揺動する方向が多様に変化するように設けられる。タイン３１の形状は条件等を加味して任意の掻き上げれる形状に設定してもよい。また、本例においては、タイン３０を前後に２列設けたが、１列に設けてもよく、また、複数設けても同じ効果が得られる。
【産業上の利用可能性】
【００２４】
この発明は、トラクタ等の走行機後方に装着されて草刈作業を行なう草刈作業機に利用できる。
【符号の説明】
【００２５】
１    トラクタ
１０  走行輪
１１  ロアリンク
１２  トップリンク
１３  ロアリンクピン
１４  トップリンクピン
１５  クイックヒッチ（連結枠）
１６  トップピン
１７  ロアピン
２    草刈作業機
２０  草刈作業部
２００  刈刃軸
２０１  刈刃
２１  ゲージ輪
２２  ハンドル
２３  ゲージ輪フレーム
２４  高さ調整ロッド
２５  入力ケース
２６  パイプフレーム
２７  伝動ケース
２８  側板
２９  刈刃軸カバー
３    草掻き起し手段
３０  タイン
３２  コイル状部
３３  前タイン取付ブラケット
３４  後タイン取付ブラケット
３５  固定ネジ
３６  サポートフレーム
３７  フロントパイプフレーム
５    ユニバーサルジョイント
【図１】
2018108066.tif 000003
【図２】
2018108066.tif 000004
【図３】
2018108066.tif 000005